(57)【要約】【課題】作業対象コンピュータに対して作業を行う場合の作業環境を容易に実現することができ、設備コストを抑制し、さらに、作業性の向上を図ること。【解決手段】表示装置及び操作装置を備え、操作対象コンピュータに接続して当該操作対象コンピュータに対する操作を行う携帯型情報処理装置であって、操作装置に接続され、操作対象コンピュータに装備された操作装置接続用インタフェースに所定のケーブルを介して接続される操作装置用接続手段を備え、この操作装置用接続手段は、操作装置から入力されたデータを、直接、操作対象コンピュータの操作装置接続用インタフェースに出力する機能を有する。【選択図】図１
2008041010.tif 000002
【特許請求の範囲】
【請求項１】
表示装置及び操作装置を備え、操作対象コンピュータに接続して当該操作対象コンピュータに対する操作を行う携帯型情報処理装置であって、
前記操作装置に接続され、前記操作対象コンピュータに装備された操作装置接続用インタフェースに所定のケーブルを介して接続される操作装置用接続手段を備え、
この操作装置用接続手段は、前記操作装置から入力されたデータを、直接、前記操作対象コンピュータの前記操作装置接続用インタフェースに出力する機能を有する、
ことを特徴とする携帯型情報処理装置。
【請求項２】
前記表示装置に接続され、前記操作対象コンピュータに装備された表示装置接続用インタフェースに所定のケーブルを介して接続される表示装置用接続手段を備え、
この表示装置用接続手段は、前記操作対象コンピュータの表示装置接続用インタフェースから出力されたデータを、直接、前記表示装置に入力する機能を有する、
ことを特徴とする請求項１記載の携帯型情報処理装置。
【請求項３】
携帯型情報処理装置自体が起動していない状態で、前記操作装置、かつ／あるいは、前記表示装置に対して電源を供給する電源供給手段を備えた、ことを特徴とする請求項２記載の携帯型情報処理装置。
【請求項４】
前記表示装置用接続手段に前記操作対象コンピュータから入力された当該操作対象コンピュータにおける表示用のデータと、携帯型情報処理装置にて前記表示装置に表示されるデータとを、同時に前記表示装置に表示出力する２画面表示手段を備えた、ことを特徴とする請求項２又は３記載の携帯型情報処理装置。
【請求項５】
携帯型情報処理装置の演算装置に接続され、前記操作対象コンピュータの演算装置が接続されたインタフェースに、所定のケーブルを介して接続されるデータ転送用接続手段を備え、
前記演算装置は、前記操作装置からの操作に応じて、携帯型情報処理装置内にて処理された所定のデータを前記データ転送用接続手段を介して前記操作対象コンピュータの演算装置に転送するデータ転送手段を備えた、
ことを特徴とする請求項４記載の携帯型情報処理装置。
【請求項６】
表示装置及び操作装置を備え操作対象コンピュータに対する操作を行う携帯型情報処理装置と、前記操作対象コンピュータと、を接続する接続装置であって、
前記携帯型情報処理装置の前記操作装置から入力されたデータを受け付けて、直接、前記操作対象コンピュータに装備された操作装置接続用インタフェースに対して、当該操作対象コンピュータへの操作指令情報として出力する機能を有する、
ことを特徴とする接続装置。
【請求項７】
前記操作対象コンピュータに装備された表示装置接続用インタフェースから出力された当該操作対象コンピュータにおける表示用のデータを受け付けて、前記携帯型情報処理装置に対して当該携帯型情報処理装置の表示装置に表示するデータとして出力する機能を有する、
ことを特徴とする請求項６記載の接続装置。
【発明の詳細な説明】
【技術分野】
【０００１】
本発明は、携帯型情報処理装置にかかり、特に、サーバ等の機器設定を行う際に用いる携帯型情報処理装置に関する。
【背景技術】
【０００２】
従来より、サーバなどの保守、点検、設定などのサービスを行う業者は、定期的にサーバが設置されている事業所等を訪問して作業を行う。このとき、設置されているサーバには、設定内容や保守作業状況を確認するためのモニタといった表示装置や、設定内容を入力するためのキーボード・ポインティングデバイスといった入力装置などの操作セットが装備されている必要がある。仮に、常時操作が必要でないコンピュータの場合であっても、切替機器等を介して複数台のコンピュータにて共有して利用可能な操作セットが装備されている必要がある。また、ネットワーク経由や他のケーブル経由で操作が可能な場合であっても、ネットワークトラブルやインタフェーストラブルの場合に備えて、上述したような操作セットを装備する必要がある。そして、サーバ等を稼働させるためのシステム構築作業時においては、上述したように装備されている操作セットを使用可能なよう設定して作業を行ったり、さらには、作業に必要な資料等を閲覧するために持参したノートパソコンを用いることが行われている。
【０００３】
【特許文献１】特開２００４−３０２８７４号公報
【発明の開示】
【発明が解決しようとする課題】
【０００４】
しかしながら、上記従来例においては以下のような不都合があった。まず、通常は使用しないにも関わらず、保守作業対象となるサーバに、モニタやキーボードなどの操作セットを用意しておく必要があり、設備コストが高くかかる、という問題があった。また、操作セットを用いた場合には、特にモニタに電源が必要であり、保守作業時にしか必要がない装置に対してわざわざ電源を確保しなければならず、かかる電源の確保が設置場所によっては困難である場合が生じる。さらに、作業時に参照する資料がある場合には、持参したノートパソコン等を用いるが、作業対象となるサーバとノートパソコンとは別駆動であるため、ノートパソコンに記憶された設定内容を表すテキストデータなどをコピーして、サーバに貼り付けることはできず、作業効率が低下する、という問題があった。
【０００５】
このため、本発明では、上記従来例の有する不都合を改善し、特に、作業対象コンピュータに対して作業を行う場合の作業環境を容易に実現することができ、設備コストを抑制し、さらに、作業性の向上を図る、ことをその目的とする。
【課題を解決するための手段】
【０００６】
そこで、本発明の一形態である携帯型情報処理装置は、
表示装置及び操作装置を備え、操作対象コンピュータに接続して当該操作対象コンピュータに対する操作を行う携帯型情報処理装置であって、
操作装置に接続され、操作対象コンピュータに装備された操作装置接続用インタフェースに所定のケーブルを介して接続される操作装置用接続手段を備え、
この操作装置用接続手段は、操作装置から入力されたデータを、直接、操作対象コンピュータの操作装置接続用インタフェースに出力する機能を有する、
ことを特徴としている。
【０００７】
上記発明によると、保守などを行う作業員が設定に用いるために持参した携帯型情報処理装置を、操作装置用接続手段を介して操作対象コンピュータの操作装置接続用インタフェースに接続することで、携帯型情報処理装置の操作装置に入力したデータが、操作対象コンピュータに入力されることなる。従って、作業性の向上を図ることができると共に、持参した携帯型情報処理装置を用いて操作対象コンピュータの作業を行うことができるため、操作対象コンピュータに操作装置を常時、装備しておく必要がなく、設備コストを抑制することができる。
【０００８】
そして、上記携帯型情報処理装置に、表示装置に接続され、操作対象コンピュータに装備された表示装置接続用インタフェースに所定のケーブルを介して接続される表示装置用接続手段を備え、この表示装置用接続手段は、操作対象コンピュータの表示装置接続用インタフェースから出力されたデータを、直接、表示装置に入力する機能を有する、ことを特徴としている。
【０００９】
これにより、操作対象コンピュータから出力される表示用データを携帯型情報処理装置の表示装置に出力させることができるため、作業者は携帯型情報処理装置の表示装置にて操作内容や操作対象コンピュータの設定状況などを確認することができる。従って、作業性の向上を図ることができると共に、操作対象コンピュータに表示装置を常時、装備しておく必要がなく、設備コストを抑制することができる。
【００１０】
また、携帯型情報処理装置自体が起動していない状態で、操作装置、かつ／あるいは、表示装置に対して電源を供給する電源供給手段を備えた、ことを特徴としている。これより、携帯型情報処理装置の電源を入れていない状態であっても、当該携帯型情報処理装置の操作装置や表示装置を操作対象コンピュータの操作装置や表示装置として機能させることができ、作業者の利便性の向上を図ることができる。
【００１１】
また、表示装置用接続手段に操作対象コンピュータから入力された当該操作対象コンピュータにおける表示用のデータと、携帯型情報処理装置にて表示装置に表示されるデータとを、同時に表示装置に表示出力する２画面表示手段を備えた、ことを特徴としている。これにより、操作対象コンピュータと携帯型情報処理装置との画面を同時に表示させることができるため、より作業性の向上を図ることができる。
【００１２】
また、携帯型情報処理装置の演算装置に接続され、操作対象コンピュータの演算装置が接続されたインタフェースに、所定のケーブルを介して接続されるデータ転送用接続手段を備え、演算装置は、操作装置からの操作に応じて、携帯型情報処理装置内にて処理された所定のデータをデータ転送用接続手段を介して操作対象コンピュータの演算装置に転送するデータ転送手段を備えた、ことを特徴としている。これにより、携帯型情報処理装置から操作対象コンピュータに必要なデータを転送することができ、さらなる作業性の向上を図ることができる。
【００１３】
また、本発明の他の形態である接続装置は、表示装置及び操作装置を備え操作対象コンピュータに対する操作を行う携帯型情報処理装置と、操作対象コンピュータと、を接続する接続装置であって、携帯型情報処理装置の操作装置から入力されたデータを受け付けて、直接、操作対象コンピュータに装備された操作装置接続用インタフェースに対して、当該操作対象コンピュータへの操作指令情報として出力する機能を有する、ことを特徴としている。さらに、操作対象コンピュータに装備された表示装置接続用インタフェースから出力された当該操作対象コンピュータにおける表示用のデータを受け付けて、携帯型情報処理装置に対して当該携帯型情報処理装置の表示装置に表示するデータとして出力する機能を有する、ことを特徴としている。
【００１４】
このように、携帯型情報処理装置と操作対象コンピュータとを、上記構成を有する外付けの接続装置にて接続した場合であっても、上述同様に作用するため、上述した本発明の目的である作業性の向上、さらには、設備コストの抑制を図ることができる。
【発明の効果】
【００１５】
本発明は、以上のように構成され機能するので、これによると、作業者が持参した携帯型情報処理装置を用いて操作対象コンピュータの作業を行うことができるため、作業性の向上を図ることができると共に、操作対象コンピュータに操作装置を常時、装備しておく必要がなく、設備コストを抑制することができる、という従来にない優れた効果を有する。
【発明を実施するための最良の形態】
【００１６】
本発明は、操作機器が常時装備されていない操作対象コンピュータに対しても、携帯型情報処理装置を接続して容易に作業を行うことができるよう、そのインタフェースや接続装置を構成した点に特徴を有する。
【実施例１】
【００１７】
本発明の第１の実施例を、図１乃至図２を参照して説明する。図１乃至図２は、本実施例におけるノートＰＣの構成及び作動時の様子を示す図である。
【００１８】
［構成］
本実施例における操作対象ＰＣ２（操作対象コンピュータ）は、企業などに設置されているサーバコンピュータであって、保守作業業者によって保守を受けているコンピュータである。そして、この操作対象ＰＣ２には、モニタといった表示装置やキーボード・マウスといった操作装置などの操作に必要な操作セットが装備されておらず、本体のみによって構成されており、その本体には、表示装置や操作装置に接続されるインタフェースが装備されているだけである。つまり、図１に示すように、モニタに表示する画面データを出力するためのモニタ（ＯＵＴ）端子（表示装置接続用インタフェース）、キーボードなどに入力されたデータを受け付けるためのキーボード（ＩＮ）端子やマウス（ＩＮ）端子（操作装置接続用インタフェース）、同じくキーボードから入力されたデータを受け付けたりするためのＵＳＢ（ＩＮ／ＯＵＴ）端子（操作装置接続用インタフェース）、が装備されている。なお、ＵＳＢ（ＩＮ／ＯＵＴ）端子は、操作対象ＰＣ２のＣＰＵ（演算装置）に接続されており、種々のデータ転送に用いることが可能である。
【００１９】
ノートＰＣ１（携帯型情報処理装置）は、上述した操作対象ＰＣ２の保守を行う業者や当該業者の作業者が所有するノート型パソコンであって、操作対象ＰＣ２の保守や点検、設定作業などを行う際に用いられる。そして、このノートＰＣ１には、表示装置であるＬＣＤ部１１と、操作装置であるキーボード部１２と、同じく操作装置であるマウスなどのポインタデバイス部１３と、演算装置であるＣＰＵ部１４と、電源を供給するバッテリー・電源部１５と、が備えられている。
【００２０】
さらに、本実施例におけるノートＰＣ１には、ＬＣＤ部１１に接続され、操作対象ＰＣ２のモニタ（ＯＵＴ）に所定のケーブルを介して接続されるＬＣＤ制御ユニット１６（表示装置用接続手段）と、キーボード部１２・ポインタデバイス部１３・ＣＰＵ部１４に接続され、操作対象ＰＣ２のＵＳＢ（ＩＮ／ＯＵＴ）に所定のケーブルを介して接続されるＵＳＢユニット１７（操作装置用接続手段、データ転送用接続手段）と、が備えられている。
【００２１】
上記ＬＣＤ制御ユニット１６は、具体的には、ノートＰＣ１に装備された図示しないモニタ（ＩＮ）端子を介して操作対象ＰＣ２のモニタ（ＯＵＴ）端子に接続されており、操作対象ＰＣ２から出力されたデータ、つまり、操作対象ＰＣ２に表示されうる表示画面データ（表示用のデータ）の入力を受け付けて、直接、ＬＣＤ部１１に入力する機能を有する。これにより、操作対象ＰＣ２に表示される表示画面データが、ノートＰＣ１のＬＣＤ部１１に表示されることとなる。
【００２２】
また、上記ＵＳＢユニット１７は、具体的には、ノートＰＣ１に装備された図示しないＵＳＢ端子を介して、操作対象ＰＣ２の操作装置接続用インタフェースとなるＵＳＢ（ＩＮ／ＯＵＴ）端子に接続されており、キーボード部１２やポインタデバイス部１３から入力されたデータを、直接、操作対象ＰＣ２に対して出力する機能を有する。つまり、ノートＰＣ１の操作装置から入力されたデータを、あたかも操作対象ＰＣ２に装備されたキーボード等（図示せず）から入力された操作指令のデータとして当該操作対象ＰＣ２にて取り扱われるよう、出力する機能を有する。
【００２３】
ここで、バッテリー・電源部１５は、ノートＰＣ１自体の電源がＯＮ状態でない場合であっても、ＬＣＤ部１１、キーボード部１２、ポインタデバイス部１３に対して電源を供給する機能（電源供給手段）を有する。例えば、ノートＰＣ１の起動ボタンとは異なる電源供給ボタンが装備されており、これがＯＮにされたときにＬＣＤ部１１等に電源が供給される。これにより、後述するように、ＬＣＤ部１１やキーボード部１２等を、操作対象ＰＣ２に装備された各機器として利用することができる。つまり、操作対象ＰＣ２の画面をノートＰＣ１のＬＣＤ部１１に表示させることができ、また、ノートＰＣ１のキーボード部１２等から入力したデータを、操作対象ＰＣ２の操作指令データとして入力することができる。
【００２４】
また、ＵＳＢユニット１７は、ノートＰＣ１のＣＰＵ部１４にて処理されたデータを、操作対象ＰＣ２のＵＳＢ（ＩＮ／ＯＵＴ）端子に対して出力し、当該操作対象ＰＣ２のＣＰＵ内にて処理されているデータとして転送する機能を有する。これに伴い、ＣＰＵ部１４には、所定のプログラムが組み込まれることにより、キーボード部１２やポインタデバイス部１３からの操作指令に応じて、ノートＰＣ１内にて処理された所定のデータを、ＵＳＢユニット１７を介して操作対象ＰＣ２の演算装置に転送する機能（データ転送手段）が構築されている。これにより、例えば、ノートＰＣ１内にて処理されているテキストデータなどをコピーし、これを、操作対象ＰＣ２内の所定の領域に貼り付ける（ペースト）することができる。つまり、ノートＰＣ１の作業者は、当該ノートＰＣ１内で処理しているデータを、あたかも自身のノートＰＣ１内にペーストするかのように、操作対象ＰＣ２に対してペーストすることができる。
【００２５】
また、ＣＰＵ部１４は、上述したＬＣＤ制御ユニット１６から操作対象ＰＣ２から入力された表示画面データを受け付けて処理し、この操作対象ＰＣ２の表示画面データと、ノートＰＣ１自体に表示されるデータとを、同時にＬＣＤ部１１に表示出力する機能（２画面表示手段）を有する。これに伴い、ＬＣＤ制御ユニット１６は、操作対象ＰＣ２からの表示画面データを一旦ＣＰＵ部１４に転送し、これに応じてＣＰＵ部１４から送信されてきた２画面データをＬＣＤ部１１に出力する。
【００２６】
［動作］
次に、上記構成のノートＰＣ１を作業者が使用して、操作対象ＰＣ２に対して保守作業等を行うときの動作を説明する。
【００２７】
まず、作業者は、操作対象ＰＣ２が設置されている場所に出向き、起動している操作対象ＰＣ２に対して、持参したノートＰＣ１を接続する。具体的には、ノートＰＣ１のＬＣＤ制御ユニット１６と操作対象ＰＣ２のモニタ（ＯＵＴ）端子とを接続し、また、ノートＰＣ１のＵＳＢユニット１７と操作対象ＰＣ２のＵＳＢ（ＩＮ／ＯＵＴ）端子とを接続する。このとき、ノートＰＣ１のキーボード部１２やポインタデバイス部１３に接続される端子を、操作対象ＰＣ２のキーボード（ＩＮ）端子やマウス（ＩＮ）端子に接続してもよい。
【００２８】
その後、ノートＰＣ１の起動ボタンではない電源供給ボタンをＯＮにすることで、ＬＣＤ部１１、キーボード部１２、ポインタデバイス部１３に電源が供給される。すると、ノートＰＣ１のＣＰＵ部１４には電源が供給されておらず、ＣＰＵ部１４が作動していない状態であっても（図２の点線参照）、操作対象ＰＣ２のモニタ（ＯＵＴ）端子から出力された当該操作対象ＰＣ２の表示画面データが、ＬＣＤ制御ユニット１６を介してノートＰＣ２のＬＣＤ部１１に入力され、当該ＬＣＤ部１１に表示される（図２の実線参照）。これにより、作業者は、操作対象ＰＣ２の表示画面をノートＰＣ１にて確認することができ、設定状況等を把握することができる。
【００２９】
また、キーボード部１２やポインタデバイス部１３にも電源が供給されることで、これらの操作が可能となり、作業者が入力したデータが、ＵＳＢユニット１７を介して操作対象ＰＣ２のＵＳＢ（ＩＮ／ＯＵＴ）端子に直接出力され、当該操作対象ＰＣ２に対する操作指令として入力することができる。なお、キーボード部１２やポインタデバイス部１３を操作対象ＰＣ２のキーボード（ＩＮ）端子やマウス（ＩＮ）端子に接続することで、これら各端子から操作指令データを入力してもよい。
【００３０】
以上のようにすることで、作業者はノートＰＣ１を接続するだけで、当該ノートＰＣ１を起動することなく、容易に作業対象ＰＣ２に対する設定作業等を行うことができ、作業効率が向上しうる。
【００３１】
また、作業者が、ノートＰＣ１を起動した場合であっても、上記同様に作動する（図１参照）。つまり、上述したように、ＬＣＤ部１１には操作対象ＰＣ２の表示画面データを表示させることができ、また、ノートＰＣ１のキーボード部１１等からは、操作対象ＰＣ２に対して操作指令を直接入力することができる。
【００３２】
そして、さらに、ノートＰＣ１のＣＰＵ部１４に電源が供給された状態のときには、上述したＣＰＵ部１４による２画面表示機能や、ノートＰＣ１内のデータをコピーして操作対象ＰＣ２内に貼り付ける機能を実現することができる。具体的には、ＣＰＵ部１４が、操作対象ＰＣ２から入力された表示画面データと、ノートＰＣ１の表示画面データと、を同時表示するよう処理し、ＬＣＤ制御ユニット１６を介してＬＣＤ部１１に表示する。また、ＣＰＵ部１４が、作業者によってキーボード部１２やポインタデバイス部１３から入力されたノートＰＣ１内のデータのコピー指令に応じて、選択されたデータを所定のメモリ領域にコピーし、続いて作業者によってキーボード部１２やポインタデバイス部１３にて入力された操作対象ＰＣ２内へのペースト指令に応じて、上記コピーしたデータを操作対象ＰＣ２内の所定の領域にペーストする。
【００３３】
これにより、作業者は、ノートＰＣ１の画面のみを参照して操作することで、操作対象ＰＣ２の画面やノートＰＣ１内に格納された資料等を同時に閲覧して、操作対象ＰＣ２に対する作業を行うことができ、利便性が向上しうる。また、作業に必要なデータを、いわゆるコピー＆ペーストと呼ばれる操作にて、ノートＰＣ１から操作対象ＰＣ２に対して容易に移行することができるため、さらなる利便性及び作業性の向上を図ることができる。このとき、データ移行を行うためにネットワーク経由やストレージを使用していないため、操作対象ＰＣ２へのコンピュータウイルスの侵入を抑制することができる。
【００３４】
以上より、上記構成のノートＰＣ１を用いることで、事前に操作対象ＰＣ２に操作装置を常時装備しておく必要がないため、設備コストを抑制することができると共に、作業者の作業性の向上を図ることができる。
【実施例２】
【００３５】
次に、本発明の第２の実施例を、図３を参照して説明する。本実施例では、上述したＬＣＤ制御ユニット１６とＵＳＢユニット１７とが、ノートＰＣ１００に外付け可能な外付けユニット３００（接続装置）として構成されている。以下、詳述する。
【００３６】
まず、外付けユニット３００は、接続されたユニット制御部３０１とＵＳＢユニット３０２とを備えている。そして、ＵＳＢユニット３０２は、ノートＰＣ１００のＣＰＵ部１１４に接続されているＵＳＢ（ＩＮ／ＯＵＴ）端子と、操作対象ＰＣ２００のＣＰＵに接続されているＵＳＢ（ＩＮ／ＯＵＴ）端子と、を接続する。また、ユニット制御部３０１は、操作対象ＰＣ２００のモニタ（ＯＵＴ）端子に接続されている。なお、このユニット制御部３０１は、操作対象ＰＣ２００のキーボード（ＩＮ）端子、マウス（ＩＮ）端子にも接続可能である。
【００３７】
そして、ＵＳＢユニット３０２は、上述した実施例１におけるＵＳＢユニット１７と同様に、ノートＰＣ１００のキーボード部１１２やポインタデバイス部１１３に入力された操作対象ＰＣ２００に対する操作指令のデータを、当該操作対象ＰＣ２００の操作装置接続用インタフェースとなるＵＳＢ（ＩＮ／ＯＵＴ）端子に対して直接出力する機能を有する。これにより、操作対象ＰＣ２００に接続されうるキーボードなどから入力されたように、ノートＰＣ１００から直接、操作対象ＰＣ２００に操作指令を入力することができる。
【００３８】
また、外付けユニット３００のＵＳＢユニット３０２は、実施例１におけるＬＣＤ制御ユニット１６と同様に、ユニット制御部３０１を介して操作対象ＰＣ２００から受け付けた当該操作対象ＰＣ２００の表示画面データを、ノートＰＣ１００のＣＰＵ部１１４に出力する機能を有する。そして、ＣＰＵ部１４が受け付けた操作対象ＰＣ２００の表示画面データを、ノートＰＣ１００のＬＣＤ部１１１に表示することができ、作業者が閲覧することができる。
【００３９】
そして、本実施例におけるノートＰＣ１００のＣＰＵ部１１４は、所定のプログラムが組み込まれることで、上述した実施例１のノートＰＣ１のＣＰＵ部１４とほぼ同様の機能を有している。つまり、ＣＰＵ部１１４が、操作対象ＰＣ２００から入力された表示画面データと、ノートＰＣ１００の表示画面データと、を同時表示するよう処理し、ＬＣＤ部１１１に表示する。また、ＣＰＵ部１１４が、ノートＰＣ１００内のデータをキーボード部１１２やポインタデバイス部１１３によるコピー指令に応じて所定のメモリ領域内にコピーし、さらに、キーボード部１１２やポインタデバイス部１１３による操作対象ＰＣ２００内へのペースト指令に応じて、上記コピーしたデータを操作対象ＰＣ２００内にペーストする。
【００４０】
これにより、ノートＰＣ１００が一般的なコンピュータであっても、ＣＰＵ部１１４に上述した機能を実現するためのソフトウェアを組み込み、また、上記外付けユニット３００を用いて操作対象ＰＣ２００に接続することで、上記実施例１同様に、操作対象ＰＣ２００に操作セットが装備されていない場合であっても、容易に作業を行うことができ、作業者の操作性の向上を図ることができると共に、保守などを行うコンピュータの設備コストを抑制することができる。
【００４１】
ここで、上記では、外付けユニット３００は、ノートＰＣ１００とＵＳＢ接続されている場合を説明したが、接続方法はこれに限定されない。例えば、ＩＥＥＥ１３９４接続や無線接続など、他の接続方法で接続されてもよい。そして、これに応じて、外付けユニット３００には、各種接続用端子あるいは接続機器が搭載されていてもよい。また、同様に、外付けユニット３００と操作対象ＰＣ２との接続方法も、上述した接続方法に限定されず、他の接続方法で接続されてもよい。
【産業上の利用可能性】
【００４２】
本発明におけるノートＰＣや外付けユニットは、コンピュータの保守や点検、設定作業等を行う業者や作業者が、保守作業時に使用することができ、産業上の利用可能性を有する。
【図面の簡単な説明】
【００４３】
【図１】実施例１におけるノートＰＣの構成及び使用時の動作を示す図である。
【図２】実施例１におけるノートＰＣの使用時の動作を示す図である。
【図３】実施例２におけるノートＰＣの構成及び使用時の動作を示す図である。
【符号の説明】
【００４４】
１，１００  ノートＰＣ
２，２００  操作対象ＰＣ
１１，１１１  ＬＣＤ部
１２，１１２  キーボード部
１３，１１３  ポインタデバイス部
１４，１１４  ＣＰＵ部
１５，１１５  バッテリー・電源部
１６  ＬＣＤ制御ユニット
１７  ＵＳＢユニット
３００  外付けユニット
３０１  ユニット制御部
３０２  ＵＳＢユニット
【図１】
2008041010.tif 000003
【図２】
2008041010.tif 000004
【図３】
2008041010.tif 000005